(57)【要約】【課題】１種類の照明による１回の撮影により得られた画像データから少なくとも主にキメが写った画像データと、主にシミが写った画像データを得ることができる分析用肌画像生成システムを提供する。【解決手段】白色ＬＥＤ１２により照明された肌を、コンバージョンレンズ１１が装着されたカメラ２で撮影する。撮影して得られた画像データの青成分の画像データと、赤成分の画像データとの差分となる画像データを求める。この際に青成分と赤成分とで輝度レベルを合わせるとともに、波形の振幅の大きさを合わせてから差分を求める。青成分には肌表面のキメの画像と、シミの画像が含まれ、赤成分には、主に肌表明のキメの画像が含まれる。したがって、差分の画像データは、主にシミの画像が含まれる。差分の画像データは、シミの分析に用いられる。赤成分の画像データがキメの分析に用いられる。【選択図】図５
2014180284.tif 000002
【特許請求の範囲】
【請求項１】
肌のシミを分析可能な肌の画像データを生成する分析用肌画像生成システムであって、
少なくとも赤の光と青の光を含む照明光を被写体に照射可能な照明手段と、
前記照明手段に照明された前記被写体を撮影する撮影手段と、
前記撮影手段に撮影された前記被写体の画像データを記憶する記憶手段と、
前記記憶手段に記憶された前記被写体の画像データを処理する画像処理手段とを備え、
前記画像処理手段は、前記記憶手段に記憶された前記画像データから赤成分の画像データと、青成分の画像データとを抽出する抽出手段と、
前記抽出手段で抽出された前記赤成分の画像データと、前記青成分の画像データとの明るさのレベルを合わせ、前記青成分の画像データと前記赤成分の画像データとの差分となる差分画像データを算出する差分算出手段とを備えることを特徴とする分析用肌画像生成システム。
【請求項２】
前記差分画像データを肌のシミの分析用の画像データとし、前記赤成分の画像データを肌のキメの分析用の画像データとすることを特徴とする請求項１に記載の分析用肌画像生成システム。
【請求項３】
前記差分算出手段は、前記抽出手段で抽出された前記赤成分の画像データと、前記青成分の画像データとにおいて互いに近似する波形の振幅を互いに略同じになるように合わせた後に、前記差分画像データを求めることを特徴とする請求項１または請求項２に記載の分析用肌画像生成システム。
【請求項４】
携帯型電子機器に搭載されたカメラと、当該カメラに装着されるレンズモジュールに設けられた肌撮影用のコンバージョンレンズとから前記撮影手段が構成され、
前記レンズモジュールに前記照明手段が設けられていることを特徴とする請求項１から請求項３のいずれか1項に記載の分析用肌画像生成システム。
【請求項５】
肌のシミを分析可能な肌の画像データを生成する分析用肌画像生成方法であって、
少なくとも赤の光と青の光を含む照明光を被写体に照射して撮影された画像データから赤成分の画像データと、青成分の画像データとを抽出し、
抽出された前記赤成分の画像データと、前記青成分の画像データとの明るさのレベルを合わせた後に、前記青成分の画像データと前記赤成分の画像データとの差分となる差分画像データを求めることを特徴とする分析用肌画像生成方法。
【請求項６】
前記差分画像データを肌のシミの分析用の画像データとし、前記赤成分の画像データを肌のキメの分析用の画像データとすることを特徴とする請求項５に記載の分析用肌画像生成方法。
【請求項７】
前記差分画像データを求める前に、抽出された前記赤成分の画像データと、前記青成分の画像データとにおいて互いに近似する波形の振幅を互いに略同じになるように合わせることを特徴とする請求項５または請求項６に記載の分析用肌画像生成方法。
【発明の詳細な説明】
【技術分野】
【０００１】
本発明は、肌のキメと肌のシミを分析するための画像を生成する分析用肌画像生成システムおよび分析用肌画像生成方法に関する。
【背景技術】
【０００２】
従来、肌を撮影した画像データから肌状態を分析することが行われている。
例えば、画像データから肌のキメ、肌のシミ、肌の色等が分析される。肌のキメとは、肌表面の状態を指すものであり、肌表面には、互いに交差するように多数の溝（皮溝）があり、これら溝の間が少し盛り上がった状態の皮丘となっている。また、肌には毛穴がある。
【０００３】
例えば、キメの状態が良い場合に、毛穴が目立たず、皮溝が浅くかつ比較的整然とした状態となっている。このような肌のキメは、肌表面の状態を示すものであり、キメを分析するためには、肌表面が撮影された画像が用いられる。また、肌の色も、肌表面が撮影されたカラー画像を用いて分析することができる。
【０００４】
それに対して、シミは、肌表面より少し下にメラニンが沈着して形成されるので、肌表面より少し内側の層を撮影する必要がある。肌を照明して撮影した場合に、照明光が肌表面で反射されるだけではなく、照明光の一部は、肌表面を透過して肌表層部内のシミも撮影される。しかし、このように撮影された画像では、肌表面の反射光による画像が主に撮影されることになり、シミの画像が肌表面の画像に隠れ、このシミが明確には見えない状態となっている。
【０００５】
そこで、２枚の偏光板を用いて、肌の表面からの反射光に基づく画像を撮影し難い状態にして、肌の表面を透過してから肌表層部内で反射した反射光に基づく画像が主に撮影される状態にすることが行われている。
【０００６】
すなわち、図８に示すように、照明用の光源４１側と撮影用のレンズ（カメラ４２）側とにそれぞれ偏光板４３，４４を配置するとともにこれら偏光板４３，４４の偏光方向ｄ１，ｄ２を互いに直交するように配置して肌を撮影する。このように撮影した場合に、肌表面４５での反射光は、光源側の偏光板４３で偏光された偏光方向ｄ１が変化せず、レンズ側の偏光方向が偏光方向ｄ１と直交する偏光方向ｄ２である偏光板４４を通過できない。それに対して、肌の表層部４６内に透過してから反射した光は、肌の表層部４６内での光の多重散乱により偏光方向がランダムになり、レンズ側の偏光板４４の偏光方向ｄ２と直交しない偏光方向の光を多く含むことから、偏光板４４を通過する。これにより、肌表面４５の反射光がカットされた肌表層部４６内のシミの画像を得ることができる（例えば、特許文献１参照）。
【０００７】
上述の光源４１としては、例えば、白色ＬＥＤが用いられる。白色ＬＥＤには、複数の方式があるが、例えば、青に発光する青色ＬＥＤと、青の光が照射されると黄色の蛍光を発する蛍光体とを備える白色ＬＥＤを光源４１として用いることができる。このような白色ＬＥＤの光源スペクトルは、図９、図１０に示すように、青色ＬＥＤに基づく青の波長の幅の狭いピークと、蛍光体に基づく黄色の波長に頂点があるとともに緑から赤に至る幅の広いピークからなっている。
【０００８】
ここで、図１０のグラフに光源スペクトルが示される白色ＬＥＤ（図１０の白色ＬＥＤ）は、図９のグラフに光源スペクトルが示される白色ＬＥＤ（図９の白色ＬＥＤ）と比較して、相対的に青のピークに対して黄色のピークが高くなっている。これにより図１０の白色ＬＥＤは、肌色の演色性が高く、肌のキメの撮影に適している。それに対して図９の白色ＬＥＤは、黄色の光のピークより青の光のピークが高く肌色の演色性は必ずしも高くない。しかし、シミを構成するメラニンは、波長の長い光より波長の短い光の方が吸光度が高く、例えば、赤の光より青の光に対する吸光度が高い。
【０００９】
したがって、シミを撮影する場合に、相対的に青より波長が長い光が多い図１０の白色ＬＥＤに対して、青の波長の光のピークがそれより波長の短い光より相対的に高い図９の白色ＬＥＤを用いた方が、シミのメラニンが多く暗く写る部分と、シミの周囲のメラニンが少なく明るく写る部分との明暗の差が大きくなり、シミの画像が明瞭になる。
【００１０】
したがって、肌の撮影に際し、図９の白色ＬＥＤと、図１０の白色ＬＥＤとの両方を用意しておき、肌のシミの撮影に図９の白色ＬＥＤを用い、肌のキメの撮影に図１０の白色ＬＥＤを用いるように、２種類の照明（白色ＬＥＤ）を使い分けることが好ましい。
【先行技術文献】
【特許文献】
【００１１】
【特許文献１】特開２００８−２８９７０６号公報
【発明の概要】
【発明が解決しようとする課題】
【００１２】
ところで、撮影された画像データから肌のキメ、肌のシミ等を分析する場合に、肌のシミの分析用画像を上述のように２枚の偏光板を用いて撮影する場合に、この画像には、肌表面の画像がほとんど含まれていないので、肌のシミ画像とは別に、肌のキメの分析用画像を撮影する必要がある。
【００１３】
すなわち、少なくとも肌のキメと、肌のシミとの両方を分析する場合には、二枚の偏光板を用いて撮影されたシミ分析用画像と、偏光板を用いずに撮影されたキメ分析用画像とが必要となり、一度の分析に対して２回の撮影が必要となる。
【００１４】
また、上述のように肌のキメを撮影する場合の照明光と、肌のシミを撮影する場合の照明光とを使い分けることが好ましく、照明用のＬＥＤとして、２種類のＬＥＤを用いるとともに、肌のキメの撮影と、肌のシミの撮影とで照明を切り替えることになり、照明側での偏光板の有無の切り替えと合わせて撮影が煩雑になる。
なお、肌の色の分析には、肌のキメ用に撮影された画像データがカラーならば、この画像データを用いることが可能である。
【００１５】
また、肌の状態の分析を気軽に家庭で行いたいという要望があり、上述のようなキメ分析用画像や、シミ分析用画像を撮影する家庭用の肌カメラが提案されている。
このような肌カメラは、例えば、スマートフォン等の携帯型電子機器に接続され、肌カメラで撮影された画像をスマートフォンに取り込んで処理したり、取り込んだ画像データを携帯型電子機器からインターネットを介して肌画像の解析等のサービスを行うサーバーに送信したりすることが提案されている。
また、スマートフォンのカメラ部分対応位置に装着し、スマートフォンのカメラで肌分析用の画像を撮影可能とするコンバージョンレンズを有するレンズモジュールも提案されている。
【００１６】
これら肌カメラやコンバージョンレンズを有するレンズモジュールにおいて、上述のシミ分析用画像と、キメ分析用画像を撮影するためには、たとえば、偏光板を介して照明するシミ撮影用照明装置と、偏光板を介さずに照明するキメ撮影用照明装置との二つを設け、これら照明装置を切り替えて少なくも二回肌を撮影する必要がある。すなわち、通常の照明用ＬＥＤ以外に偏光板を備える照明用ＬＥＤが必要となり、肌カメラやレンズモジュールのコストが高くなる。なお、この場合に、例えば、レンズ側にも偏光板を配置するが、この偏光板はキメ撮影時とシミ撮影時とで移動する必要はない。
【００１７】
また、肌カメラでは、１つの装置の中にカメラ、レンズ、照明が含まれており、これらを肌カメラの制御装置で制御可能である。それに対して、スマートフォンのカメラにレンズモジュールを装着する場合に、スマートフォンに設けられたカメラのＬＥＤ照明では、カメラから１ｍ程度離れた被写体を撮影するようにセッティングされているので、肌に近接して肌を撮影する場合に、明るすぎて白く色飛びしてしまう可能性がある。また、スマートフォンに設けられたＬＥＤ照明は、通常の撮影用の照明であり、偏光板がない。
【００１８】
したがって、レンズモジュール側に肌撮影用の照明装置を設ける必要がある。たとえば、偏光板を備える肌のシミ撮影のための照明用ＬＥＤと、偏光板を備えない肌のキメ撮影のための照明用ＬＥＤをレンズモジュールに備える場合に、偏光板を必要とすることからレンズモジュールのコストが高くなる。
【００１９】
また、２種類の照明を切り替えて撮影する必要があるが、レンズモジュールと、スマートフォンが互いにデータ通信可能に接続されていない場合に、自動的に２種類の照明を切り替えて２度撮影するように制御することが困難である。手動で照明を切り替えて二度撮影する場合に、手動により２種類の照明を切り替えて、２度の撮影を行うことが煩わしいとユーザーに思われる虞がある。
【００２０】
自動的に２種類の照明を切り替えて撮影を行えるようにレンズモジュールにスマートフォンと通信可能なＵＳＢやＢｌｕｅｔｏｏｔｈ（登録商標）やＷｉＦｉやＮＦＣ等の周知の各種通信手段を設けるものとした場合に、レンズモジュールのコストが高くなる。
【００２１】
本発明は、上記事情に鑑みてなされたものであり、１種類の照明による１回の撮影により得られた画像データから少なくとも主にキメ（皮溝、皮丘、毛穴等）が写った画像データと、主にシミが写った画像データを得ることができる分析用肌画像生成システムおよび分析用肌画像生成方法を提供することを目的とする。
【課題を解決するための手段】
【００２２】
上記課題を解決するために、本発明の分析用肌画像生成システムは、肌のシミを分析可能な肌の画像データを生成する分析用肌画像生成システムであって、
少なくとも赤の光と青の光を含む照明光を被写体に照射可能な照明手段と、
前記照明手段に照明された前記被写体を撮影する撮影手段と、
前記撮影手段に撮影された前記被写体の画像データを記憶する記憶手段と、
前記記憶手段に記憶された前記被写体の画像データを処理する画像処理手段とを備え、
前記画像処理手段は、前記記憶手段に記憶された前記画像データから赤成分の画像データと、青成分の画像データとを抽出する画像抽出手段と、
前記抽出手段で抽出された前記赤成分の画像データと、前記青成分の画像データとの明るさのレベルを合わせ、前記青成分の画像データと前記赤成分の画像データとの差分となる差分画像データを算出する差分算出手段とを備えることを特徴とする。
【００２３】
また、本発明の分析用肌画像生成方法は、肌のシミを分析可能な肌の画像データを生成する分析用肌画像生成方法であって、
少なくとも赤の光と青の光を含む照明光を被写体に照射して撮影された画像データから赤成分の画像データと、青成分の画像データとを抽出し、
抽出された前記赤成分の画像データと、前記青成分の画像データとの明るさのレベルを合わせた後に、前記青成分の画像データと前記赤成分の画像データとの差分となる差分画像データを求めることを特徴とする。
【００２４】
これらのような構成によれば、少なくとも青の光と赤の光を含む照明光で照明された状態の被写体としての肌を撮影して得られた一つの画像データから肌のキメを分析するための肌の表面が撮影された肌のキメの分析用の画像データと、肌の表層部内のシミが撮影された（シミがある場合）肌のシミの分析用の画像データを得ることができる。
【００２５】
メラニンからなるシミは、青の光を赤の光より吸収するので、赤の光で撮影した場合よりも青の光で撮影した方が、シミを明確に撮影できる。言い換えれば、赤の光で撮影した画像ではシミの画像が薄くなり、シミの分析が困難になる。また、赤の光で撮影された画像では、シミが薄くなるので、肌表面の画像がより鮮明になる。
【００２６】
青の波長の光は、必ずしも肌内部への透過性が高くないが、青の光は、シミが形成される肌表層部、すなわち、肌の浅い部分まで透過するとともに、上述のようにメラニンに吸収され、シミの部分が暗くなるように撮影される。但し、肌表面で反射される青の反射光が撮影されるので、肌表面の画像とシミの画像が混在した状態であり、シミの画像を明確に認識することができない。
【００２７】
そこで、青成分の画像データから赤成分の画像データを差し引くと、青成分の画像データから肌表面の画像が消されて肌表層部内のシミの画像（シミがある場合）が残ることになる。
【００２８】
但し、赤成分の画像データと青成分画像データでは、ベースとなる明るさ（輝度）のレベルが異なるので、赤成分の画像データと青成分画像データとの差分となる画像データを算出する前に、赤成分の画像データと青成分画像データとで明るさのレベルを合わせる必要がある。
【００２９】
上述の青成分の画像データから主に肌表面の画像が含まれる赤成分の画像データが差し引かれた差分画像データには、肌表層部内のシミを分析するのに好適な画像が含まれることになる。キメの分析用画像データとしては、上述の照明手段で照明されて撮影手段で撮影された被写体の画像データをそのまま用いることができるとともに、上述のようにシミの画像を含まない赤成分の画像データを用いることができる。
【００３０】
この場合に、シミと肌表面との両方の画像をそれぞれある程度のレベル以上に含む青成分の画像データから主に肌表面の画像（シミを含まない画像）である赤成分の画像データを差し引くことにより肌表面の画像を取り除けるので、従来のようにシミの撮影に２枚の偏光板を必要とせず、撮影手段および照明手段のコストの低減を図ることができる。
【００３１】
また、１種類の照明で１回の撮影を行うことにより、キメの分析用の画像データと、シミの分析用の画像データとの両方を得られるので、従来のように偏光板を通過する照明と、通過しない照明との２種類の照明とを切り替えて２回撮影する必要がない。
【００３２】
したがって、スマートフォンのカメラにコンバージョンレンズを有するレンズモジュールをセットして撮影する際に、２種類の照明を切り替えて２回撮影する必要がないので、容易に撮影を行うことができ、必ずしも撮影を自動化するためにレンズモジュールとスマートフォンとの間で比較的高価な通信手段を用いなくてもよい。したがって、キメとシミの撮影が容易になるとともに、撮影手段および照明手段のコストを低減できる。
【００３３】
また、赤の波長と青の波長を含む照明光は、白色光であってもよく、照明手段の照明光を白色光とすることにより、赤、青、緑の成分を含む画像データを肌の色を分析するための画像データとすることができる。したがって、一度の撮影で肌のキメ・シミ・色の分析が可能な３種類（キメと色を同じ画像データで分析する場合に２種類）の画像データを得ることができる。
【００３４】
また、肌の状態の分析後も画像データを保存する場合に、撮影時の元の画像データを保存するものとすれば、一人の１回の撮影に対して一つの画像データを保存すればよいので例えば、インターネットを介した肌画像分析サービスで、多くのユーザーから送られた画像データを記憶して保管する場合に、記憶容量を削減することができる。
【００３５】
本発明の前記分析用肌画像生成システムおよび前記分析用肌画像生成方法において、前記差分画像データを肌のシミの分析用の画像データとし、前記赤成分の画像データを肌のキメの分析用の画像データとすることが好ましい。
【００３６】
これらのような構成によれば、肌を撮影した１つの画像データから算出された差分画像データを肌のシミの分析に用いることができ、かつ、差分画像データを算出の際に画像データから抽出された赤成分の画像データを肌のキメの分析に利用できる。したがって、従来のように照明光における偏光板の有無を変更して、肌のシミ用の撮影と、肌のキメ用の撮影とを別々に行う必要がなく、シミとキメの分析用の画像データの取得を容易にすることができる。
【００３７】
本発明の前記分析用肌画像生成システムにおいて、前記差分算出手段段は、前記抽出手段で抽出された前記赤成分の画像データと、前記青成分の画像データとにおいて互いに近似する波形の振幅を互いに略同じになるように合わせた後に、前記差分画像データを求めることが好ましい。
【００３８】
また、本発明の前記分析用肌画像生成方法において、前記差分画像データを求める前に、抽出された前記赤成分の画像データと、前記青成分の画像データとにおいて互いに近似する波形の振幅を互いに略同じになるように合わせることが好ましい。
【００３９】
これらのような構成によれば、赤成分の画像データと、青成分の画像データとは、それぞれ肌表面の画像を含み、同じ肌表面を撮影していることから画像データの水平方向や垂直方向の波形が近似することになるが、上述のように赤成分の画像データと青成分の画像データでは明るさのレベルが異なるので、明るさのレベルを合わせる必要がある。さらに、青成分の画像データと赤成分の画像データの肌表面の画像に基づく波形が近似していても赤成分と青成分とでは相似的に振幅が異なるので、差分画像データを求める際に、明るさのレベルだけではなく、振幅も合わせることにより、青成分の画像データから肌表面の画像をより精度高く除去することができる。
【００４０】
また、本発明の前記分析用肌画像生成システムにおいて、携帯型電子機器に搭載されたカメラと、当該カメラに装着されるレンズモジュールに設けられた肌撮影用のコンバージョンレンズとから前記撮影手段が構成され、
前記レンズモジュールに前記照明手段が設けられていることが好ましい。
【００４１】
このような構成によれば、照明の種類を切り替えて複数回撮影しなくとも、１種類の照明で１回撮影すれば、キメとシミとの両方を分析可能な画像データを得られるので、レンズモジュールとスマートフォン等の携帯型電子機器との間に通信手段を設けなくても容易に肌の撮影を行うことができる。
【発明の効果】
【００４２】
本発明によれば、１種類の照明下での１回の撮影により、キメとシミの分析が可能であり、撮影を容易なものにできる。また、シミの撮影に偏光板を必要とせず、コストの低減を図ることができる。
【図面の簡単な説明】
【００４３】
【図１】本発明の実施の形態に係る分析用肌画像生成システムのレンズモジュールが装着されたスマートフォンを示す概略断面図である。
【図２】前記レンズモジュール内のコンバージョンレンズとＬＥＤを備える回路基板とを示す概略正面図である。
【図３】分析用肌画像生成システムの概略を示すブロック図である。
【図４】分析用肌画像生成システムの変形例の概略を示すブロック図である。
【図５】肌のシミ分析用の画像データの算出方法を説明するための図である。
【図６】肌のシミ分析用の画像データの算出結果を説明するための図であり、（a）は撮影されたカラーの画像をグレースケールで表示した画像データの図であり、（ｂ）撮影されたカラーの画像データから抽出された赤成分の画像データをグレースケールで表示した画像データの図であり、（ｃ）は、カラーの画像データから抽出された青成分の画像データと赤成分の画像データの差分となる画像データをグレースケールで示した画像データの図である。
【図７】肌のシミ分析用の画像データの算出方法を説明するための複数のグラフである。
【図８】偏光板を用いた肌のシミ画像の撮影原理を説明するための図である。
【図９】肌のシミ画像撮影に好適な白色ＬＥＤの光源スペクトルを示すグラフである。
【図１０】肌のキメ画像撮影に好適な白色ＬＥＤの光源スペクトルを示すグラフである。
【発明を実施するための形態】
【００４４】
以下、図面を参照しながら本発明の実施の形態について説明する。
この実施の形態の分析用肌画像生成システムは、図１および図２に示すように、デジタルカメラ（撮像素子を備えるカメラ２）を備えた携帯型電子機器としてのスマートフォン１と、スマートフォン１のカメラ２に装着されて肌を拡大して接写するための２枚のレンズ１１ａ，１１ｂからなるコンバージョンレンズ１１および撮影の照明用のＬＥＤ１２を有するレンズモジュール１０とを備える。
【００４５】
分析用肌画像生成システムにおいて、上述のＬＥＤ１２が肌を照明する照明手段となり、前記カメラ２とコンバージョンレンズ１１が前記照明手段に照明された肌を撮影する撮影手段となる。また、分析用肌画像生成システムは、照明手段により照明された被写体としての肌を撮影手段で撮影して得られた画像データを記憶する記憶手段と、この画像データからシミ分析用の画像データ、キメ分析用の画像データを生成するための画像処理手段とを備える。この記憶手段をスマートフォン１の後述のフラッシュメモリ４とし、画像処理手段をスマートフォン１の後述の制御装置３としてもよい。
【００４６】
すなわち、図３に示すように、スマートフォン１には、そのカメラ２の位置に、コンバージョンレンズ１１と少なくとも青の光と赤の光を照射するＬＥＤ１２からなる照明手段ａを備えるレンズモジュール１０が装着され、コンバージョンレンズ１１とカメラ２とから撮影手段ｂが構成されている。また、スマートフォン１は、フラッシュメモリ４から構成される記憶手段ｃを備えており、照明手段ａに照明されて撮影手段ｂで撮影された肌の画像データが一旦記憶手段ｃに記憶される。
【００４７】
また、スマートフォン１は、通信手段ｄを備え、移動体通信網に接続したり、無線ＬＡＮに接続したりすることによりインターネットｈに接続可能であり、上述の記憶手段ｃに記憶された肌の画像データをインターネットｈを介して、データ管理サーバー(サーバー)ｇに送信するようになっている。データ管理サーバーｇは、各スマートフォン１から送信される肌の画像データから肌の状態を分析し、肌の状態がどの程度良い状態(または悪い状態)かの判定を行う。
【００４８】
また、データ管理サーバーｇは、肌の画像データや肌状態の分析の判定結果のデータ等を例えばユーザー毎に管理し、これらデータをスマートフォン１を用いてユーザーに閲覧可能にするとともに、例えば、化粧品会社等の肌関係の企業から個人を特定可能な情報を除いて肌の画像データや、肌の状態の分析の判定結果等のデータを使用可能にする。
【００４９】
このようなデータ管理サーバーｇは、インターネットｈを介してスマートフォン１とデータ通信可能とする通信手段ｉと、スマートフォン１からインターネットを介して送信された肌の画像データや、この肌の画像データの分析による肌状態の判定結果等が登録される肌履歴データベースｊを備える。また、データ管理サーバーｇは、画像処理手段ｋとして機能する制御装置を備え、この制御装置は、撮影された画像データから後述のように青成分の画像データと、赤成分の画像データをそれぞれ抽出する抽出手段ｅとして機能する。
【００５０】
また、画像処理手段ｋは、青成分の画像データと赤成分の画像データとで後述のように明るさのレベルを合わせ、さらに、赤成分の画像データを構成する画像信号と、青成分の画像データを構成する画像信号とで近似する波形における振幅の大きさを合わせた後に、青成分の画像データと赤成分の画像データとの差分となる差分画像データを算出する差分算出手段ｆとして機能する。
【００５１】
また、画像処理手段ｋは、上述の赤成分の画像データを用い、周知の判定アルゴリズムにより、肌のキメの状態の良し悪しの判定結果を生成するとともに、上述の差分画像データを用い、周知の判定アルゴリズムにより、肌のシミの状態の良し悪しの判定結果を生成する分析判定手段ｍとして機能する。また、分析判定手段ｍによる判定結果は、各ユーザ−に関連付けて記憶手段としての肌履歴データベースｊに記憶される。
【００５２】
なお、図４に示すように、撮影された肌の画像データの処理をスマートフォン１で行うものとしてもよく、スマートフォン１は、上述の照明手段ａ、撮影手段ｂ、記憶手段ｃに加えて、上述の画像処理手段ｋ、抽出手段ｅ、差分算出手段ｆ、分析判定手段ｍを備える。分析判定手段ｍによる判定結果のデータは、分析に用いられた肌の画像データに関連付けて記憶手段ｃに記憶される。
【００５３】
また、撮影手段ｂは、上述のカメラ２とレンズモジュール１０のコンバージョンレンズ１１とからなるものだけではなく、コンバージョンレンズ１１を用いた場合と同様に肌を撮影可能な単体の肌カメラ５であってもよい。この肌カメラ５は、スマートフォン１と、例えば、ＵＳＢ等の通信手段を介してデータ通信可能にされており、撮影された画像データは、肌カメラからスマートフォン１に送信されて記憶手段ｃに記憶される。なお、肌カメラ側にフラッシュメモリ等の記憶装置を設け、肌カメラに撮影された画像データを記憶可能になっていてもよい。
【００５４】
レンズモジュール１０は、上述のコンバージョンレンズ１１およびＬＥＤ１２と、ＬＥＤ１２を駆動するＬＥＤ駆動回路１４と、これらを収容する筐体１０ａとを備える。筐体１０ａ内で、コンバージョンレンズ１１の二枚のレンズ１１ａ，１１ｂは、バレル２０ａに支持され、カメラ２のマスターレンズ（図示略）の前に、カメラ２のマスターレンズの光軸と二枚のレンズ１１ａ、１１ｂの光軸とを略合わせるように配置される。
【００５５】
また、筐体１０ａは、バレル２０ａの前側（被写体側）にレンズ筐体２０を備える。レンズ筐体２０は、先端面が被写体としての肌の撮影時に肌に当接する当接部２０ｂとされ、当接部２０ｂが肌に当接した状態で外光を遮るようになっている。また、当接部２０ｂには、開口部２０ｃが形成され、肌の開口部２０ｃに臨む部分が撮影されるようになっている。
【００５６】
バレル２０ａは、レンズ１１ａおよびレンズ１１ｂからなるコンバージョンレンズ１１を支持した状態で、筐体１０ａ内のレンズ筐体２０の基端側（カメラ２に装着される側）に固定されている。また、筐体１０ａ内には、図１および図２に示すように、レンズ筐体２０の当接部２０ｂの開口部２０ｃに向けて撮影用の照明光を照射するＬＥＤ１２およびこのＬＥＤ１２を駆動するＬＥＤ駆動回路１４を備えた回路基板１３が支持されている。
【００５７】
また、回路基板１３には、例えば、１つのＬＥＤ１２が備えられるが、例えば、複数のＬＥＤ１２がそれぞれ異なる位置から肌を照明するように設けられていてもよい。
【００５８】
なお、肌のキメが明確な画像を撮影する上では、肌に対して斜めに光を照射する一つのＬＥＤ１２を配置することが好ましいが、肌の撮影範囲の明るさを平均化する上では、複数のＬＥＤ１２を複数箇所に配置することが好ましい。また、キメは基本的に肌の凹凸であり、１つの光源から肌に斜めに光を照射することにより、肌の凹凸の影が明確になり、肌の凹凸が分かり易い画像となる。
【００５９】
ＬＥＤ駆動回路１４の中には昇圧回路・定電圧回路を設けているので使用時のＬＥＤ照度低下問題が発生しないようになっている。
また、レンズ筐体２０により撮影領域に外乱光が入射しないように遮光状態になっている。したがって、常に略一定の撮影条件が確保できるようになっており、撮影ごとの撮影条件の差の基づく画像補正処理を不要としている。
【００６０】
また、レンズモジュール１０は、ＬＥＤ１２、ＬＥＤ駆動回路１４等に電力を供給する電池を備えた電源回路１８と、電源スイッチ（図示略）を備える。
この電源スイッチは、手動でオン・オフを切り替える機械スイッチであってもよい。
【００６１】
また、レンズ筺体２０の肌への当接部２０ｂにプッシュスイッチを設けること等によりレンズ筺体２０の当接部２０ｂが肌に当接した際に自動的にスイッチが入る構造としてもよい。
たとえば、レンズ筐体２０と当接部２０ｂとが別部材とされ、当接部２０ｂがレンズ筐体２０から被写体側に移動自在にレンズ筐体２０に支持され、弾性部材（付勢手段）により当接部２０ｂが被写体側に付勢される構造とし、常時はレンズ筐体２０と当接部２０ｂとが所定距離だけ離れた状態とする。また、レンズ筐体２０には、当接部２０ｂとの間にプッシュスイッチ等の押圧されることにより電源がオンとなり、押圧が解除されるとオフになるスイッチが設けられている。このような構造により、被写体である肌に当接部２０ｂが当てられて、弾性部材による付勢力に抗して、当接部２０ｂがレンズ筐体２０側に移動した際に、スイッチが押圧されてオンとなり、当接部２０ｂを肌から離した際に肌側に付勢されている当接部２０ｂがスイッチから離れて電源がオフとなる。
また、レンズ筐体２０内部に光電スイッチが設けられ、レンズ筐体２０の当接部２０ｂに肌を当接させてレンズ筐体２０内への光の進入が遮られた際に、筺体内部が暗くなったことにより光電スイッチがオンになる構造であってもよい。
【００６２】
スマートフォン１は、周知の通り携帯電話としての機能を有し、無線回線を用いた通話が可能となっている。また、スマートフォン１は、図示しないディスプレイを有するとともに、無線回線によりインターネットに接続可能であり、インターネットを介してｅメールの送受信が可能である。さらに、アプリケーション（アプリ）としてのブラウザによりウェブサイトの閲覧が可能になっている。また、例えば、ウェブサイト等のサーバーに対してファイルのアップロードが可能で、ウェブサイト等のサーバーからファイルのダウンロードが可能になっている。
【００６３】
また、スマートフォン１は、ＣＰＵ、ＲＯＭ、ＲＡＭ等を有する制御装置３を備え、上述のプログラムとしてのアプリを実行可能になっている。また、制御装置３には、記憶装置としてのフラッシュメモリ４が接続されており、ダウンロードしたアプリ（プログラム）や、音楽ファイル、動画ファイル等を保存可能になっている。すなわい、動画ファイルおよび静止画ファイルには、カメラ２で撮影された画像データが含まれる。
また、制御装置３は、カメラ２を制御して撮影が可能であるとともに、撮影した画像データをフラッシュメモリ４に保存することができる。また、画像処理や画像解析用のアプリにより画像データの解析や分析の処理が可能である。
【００６４】
この実施形態においては、ＬＥＤ１２で照明された被写体としての肌をレンズモジュール１０を用いてカメラ２で撮影して得られた静止画像データを画像処理することによりシミを分析可能な画像データを生成するようになっており、その画像処理は、スマートフォン１の制御装置３で行われる。
なお、上述のようにスマートフォン１から画像データを上述のデータ管理サーバーに送って、データ管理サーバー側において、スマートフォン１で撮影された画像データを記憶するとともにこの画像データの画像処理を行ってシミの分析に用いられる画像データを得るものとしてもよい。
【００６５】
ここで、スマートフォン等に内蔵されるカメラを含む一般的なデジタルカメラでは、撮像素子に各画素に対応して赤、緑、青の単色のフィルタを所定パターンで配列したカラーフィルタを用いる場合がある。この場合に、各画素のセンサによって、赤成分を撮影するセンサと、緑成分を撮影するセンサと、青成分を撮影するセンサとがあることになる。これら各位置の各色のセンサからの値は、対応するフィルタを透過した光の明るさ（輝度）を示すものとなる。
【００６６】
各画素毎の輝度のデータは、ＲＡＷデータとしてそのまま出力される場合もあるが、通常は、補間処理や色調整等により各画素毎に赤、緑、青、すなわち、ＲＧＢの値を有するカラー画像データに変換されてカメラから出力される。なお、カラーフィルタは、必ずしも赤、緑、青のパターンではなく、これらの補色等を用いたり、３色ではなく４色のフィルタを用いる場合があり、また、画像データとしてはＲＧＢ方式だけではなく、その他の方式の画像データもあるが、いずれにしろ、各画素の色がＲＧＢの値で示されるＲＧＢ方式の画像データに変換することが可能である。
【００６７】
各画素がＲＧＢの値で示される画像データで、各画素毎にＲの値だけを用いた画像データ、すなわち、ＧとＢの値を０とした画像データが赤成分の画像データであり、各画素において、ＲとＢの値を０として、Ｇの値だけを用いた画像データが緑成分の画像データであり、各画素において、ＲとＧの値を０として、Ｂの値だけを用いた画像データが青成分の画像データである。すなわち、各画素のＲＧＢ値からなる画像データにおいて、ＲＧＢのうちの二つの値を０とすることにより、赤成分の画像データ、緑成分の画像データ、青成分の画像データを抽出可能である。
【００６８】
赤成分の画像データを表示すると赤の濃淡の画像となり、緑成分の画像データを表示すると緑の濃淡の画像となり、青成分の画像データを表示すると青の濃淡の画像となる。この場合に、例えば、赤成分の画像データをキメの分析に用いる場合に、赤の濃淡からなる画像が見づらく思われる可能性がある。
【００６９】
そこで、赤成分の画像データにおいて、Ｇの値とＢの値を０ではなく、Ｒと同じ値にすることにより白黒画像（グレースケールの画像）に変換することができる。緑成分の画像データ、青成分の画像データにおいても、同様にＲＧＢ値をＧの値またはＢの値に揃えることで、グレースケールの画像に変換することができる。
【００７０】
また、後述の差分となる画像データは、基本的に赤成分と青成分との輝度の差となり、グレースケールの画像データとして扱うことになる。
ここで、グレースケールの画像データを画像処理により肌色にするものとしてもよい。
【００７１】
この場合に、例えば、後述のように撮影された肌画像データを色補正した後に、補正処理した肌画像を用いて基準肌色を決定し、上記各画素のＲＧＢの各値を設定することにより、肌色ベースのキメ画像・シミ画像を得ることができる。
【００７２】
例えば、所定の明るさにおけるＲＧＢの各値を設定する。この際には、たとえば、ＲＧＢの各値をＲ：９８／２５６、Ｇ：６８／２５６、Ｂ：５８／２５６等のように設定し、これを肌色のパターンとし、上述の肌色に変換されるグレースケースの画像の輝度の変化に対応して、上述のパターンのままＲＧＢの各値を上下させることにより、肌色のグラデーションからなる画像データを得ることができる、
【００７３】
さらに、上記肌画像から画素の輝度値の「ゆらぎ」パターンを計算してＲＧＢの各値を設定することにより、より実際の肌らしい肌色ベースのキメ画像・シミ画像を得ることができる。すなわち、上述のパターンを各画素において少しだけずらすようにすることで、より自然な肌色を表現できる。
【００７４】
前記ＬＥＤ１２は、肌を照明する照明手段であり、例えば、白色ＬＥＤが用いられている。白色ＬＥＤには、複数種類あり、例えば、青色ＬＥＤと青い光が照射されると黄色に光る蛍光体とを組み合わせた白色ＬＥＤと、紫外線を出力する紫外線ＬＥＤに紫外線が照射されると赤、緑、青に発光する複数種の蛍光体を組み合わせた白色ＬＥＤと、青く発光する青色ＬＥＤ、緑に発光する緑色ＬＥＤと、赤く発光する赤色ＬＥＤとを組み合わせた白色ＬＥＤとがある。
【００７５】
これら白色ＬＥＤのいずれを使用してもよいが、この実施形態における照明手段としては、少なくとも青の光と、赤の光とを含む光を発光していることが好ましい。青の光は、例えば、４５０〜４９５ｎｍの波長の光であり、赤の光は、例えば、６２０〜７５０ｎｍの光であり、上述の各白色ＬＥＤから発光される光に含まれる。なお、上述の各波長範囲内の波長の光を全て含んでいる必要はなく、各波長範囲の一部の波長を含んでいればよい。また、可視光の波長の範囲は、例えば、３８０〜７５０ｎｍであり、基本的には可視光の長波長側と短波長側の光が含まれていればよい。
【００７６】
次に、上述の画像処理手段としてのスマートフォン１の制御装置３で行われる画像処理について説明する。
ここで、シミは、肌表層部内に沈着したメラニンから形成されている。また、メラニンの吸収スペクトルでは、波長が短いほど吸光度が高くなる傾向となっており、波長の長い赤の光より波長の短い青の光の方がより吸収される。
【００７７】
したがって、メラニンの多い部分は、撮影された画像データの青成分では暗くなるが、赤成分ではそれほど暗くならず、青成分の方が赤成分よりシミが明確になる。
すなわち、肌表層部において、メラニンの量が多いシミの部分と、メラニンの量が少ないシミ以外の部分があり、赤成分の画像データでは、メラニンの赤の光の吸光度が低いので、メラニン量の多いシミの部分でも赤の光が少ししか吸収されずにカメラ２側に反射される。したがって、シミの部分でも画像データ上の輝度があまり下がらない。
【００７８】
シミの量の少ない部分では、さらに赤の光の吸収が少なくなるが、赤成分の画像データ上でシミの部分の輝度と、シミ以外の部分の輝度の差は小さくなる。したがって、赤成分の画像データにおいては、シミの画像が明と暗との差が小さいコントラストの低い画像となり、シミは写っているが、シミとシミ以外の部分の明暗差が少なくシミが見難い画像データとなる。
【００７９】
それに対して、青成分の画像データでは、メラニンの青の光の吸光度が高いので、肌表層部内のメラニンの多いシミの部分を反射した青の光は、シミの部分で多くを吸収されてカメラ２側に反射される。したがって、メラニンに多くを吸収された青の光の反射を撮影した青の画像データでは、メラニンの量の多いシミがより暗く写ることになる。また、青の光においても、シミ以外のメラニン量の少ない部分では、青の光はあまり吸収されない。したがって、シミの部分とそれ以外の部分との暗と明との差が大きく、コントラストの高い画像となり、シミが見易い画像となる。
【００８０】
したがって、相対的ではあるが、赤成分の画像データには肌表面の画像が主な画像となり、シミの画像はかなり薄い状態となるのに対して、青成分の画像データには、肌表面の画像が含まれるとともに、赤の場合よりも濃い（暗い）シミの画像が含まれる。
【００８１】
図５は、肌の表面画像として、キメの皮溝を互いに交差する複数の線で模式的に示すとともに、肌表層部内のシミを雲状に模式的に示した画像データの模式図であり、Ｂ（青成分）の画像データには、互いに交差する線で表される肌表面（皮溝）の画像と、雲状に表される肌表層部内のシミの画像とが含まれる（シミがある場合）ことになる。
【００８２】
図６(a)は、撮影された画像データ５１をグレースケールの画像として示したものであり、図６(ｂ)は、赤成分の画像データ５２をグレースケールの画像として示したものである。また、図６(ｃ)は、後述のように青成分の画像データと赤成分の画像データ５２との差分となる画像データ５３をグレースケールで示したものである。
【００８３】
また、Ｒ（赤成分）の画像データでも基本的に肌表面の画像と肌表層部内のシミの画像とが含まれることになるが、シミの画像があっても青成分の画像データに比較してシミが薄い状態となり、シミが見難い状態となっている。すなわち、図６に示す画像データにおいて、撮影された画像データ５１には、青成分のシミの画像が含まれ、キメの画像と混ざっているが、赤成分の画像データ５２では、シミの画像が薄くなっており、撮影された画像データよりキメが見易い画像データとなる。
【００８４】
ここで、青成分、赤成分とは、例えば、画像データをＲＧＢで表した場合のＢの値（明るさ、輝度）とＲの値（明るさ、輝度）である。
【００８５】
図７は、赤成分の画像データと、青成分の画像データとにおいて、画像データ上の同じ垂直位置の一本の水平ラインの各画素の輝度をグラフ（波形）として示したものであり、グラフ３０には、上側の赤成分の波形と下側の青成分の波形が図示されている。これらの赤成分の波形と青成分の波形とには、それぞれ、図５において、模式的に複数の交差する線で示された肌表面の画像を示す同じ波形が含まれることから、赤成分の波形と青成分の波形とが近似した形状となっている。
【００８６】
また、赤成分の波形と、青成分の波形とで異なる部分の一部は、青成分の画像データで赤成分の画像データより濃く表示されるシミによる波形に基づくものである。
したがって、青成分の画像データと赤成分の画像データの差分を求めれば、青成分の肌の表面の画像とシミの画像とから肌の表面の画像が除かれ、シミの画像が残り、肌表面の画像に邪魔されることなく、シミの画像が見易い状態になる。
【００８７】
しかし、図７のグラフ３０に示すように、赤成分の画像データと、青成分の画像データとの間には大きな輝度の差があり、差分の画像データを求める際に、この輝度の差をなくす必要がある。
【００８８】
また、輝度は青成分の画像データより、赤成分の画像データの方が高くなるが、各波形を見た場合に、主に肌表面の反射光に基づく波形の振幅は、赤成分の画像データより青成分の画像データの方が大きくなる。
したがって、肌表面の画像が含まれない差分画像データを求めるためには、青成分と赤成分とで波形の振幅を合わせることが好ましい。
【００８９】
また、グラフ３０では、赤成分の画像データの波形のベースラインと、青成分の画像データの波形のベースラインとが求められている。なお、グラフ３０中の式は、ベースラインを示す式である。また、前記式で示されるベースラインは、グラフの波形に対して近似曲線を求めたものであり、ここでは二次曲線として近似曲線を求めている。
【００９０】
これら２本のベースラインで示されるように、中央部分の輝度が高く、左右両端の部分の輝度が低くなっている。これは、ＬＥＤ１２による照明が肌の撮影範囲の中央部が明るく、周縁部が暗くなっているためであり、照明による画像のむらである。このような照明に基づく画像データ上の位置による明るさの違いは、ＬＥＤの設置個所を増やすことにより小さくなるが、複数方向から肌を照らした場合に、影がなくなり、例えば、肌の凹凸である皮溝や毛穴が見づらい画像となる。
【００９１】
すなわち、肌表面の画像は、光源の配置箇所数が少ない方が肌の凹凸であるキメを分析し易い画像データとなる。すなわち、肌表面を示す波形において、光源の配置箇所数が少ない方が振幅が大きくなり、光源の配置箇所が増加すると、振幅が小さくなり、皮溝や毛穴が目立たない画像となってしまう。
【００９２】
画像データ上の照明に基づく輝度の違い（むら）は、周知のシェーディング補正により補正可能であり、補正することが好ましい。
また、上述の差分画像データを求める式は、例えば、赤成分の輝度レベルをＲとし、青成分の輝度レベルをＢとし、求められる差分をＤとした場合に、Ｄ＝α（Ｂ−β・（Ｒ―ｋ））となる。
【００９３】
ここで、α、β、ｋは、係数であるが、ｋは、上述の青成分と赤成分の輝度のレベルの差であり、青成分より輝度が高い赤成分の画像データから輝度のレベルの差としてのｋを減算することにより、青成分と赤成分とで輝度（明るさ）のレベルが合わせられる。ｋは、赤成分と青成分との輝度のレベルの差、例えば、上述の赤成分の輝度の波形のベースラインと、青成分の輝度の波形のベースラインとの差から求められる。
【００９４】
また、βは、上述の赤成分の波形と、青成分の波形との振幅の差を減少させるための係数であり、例えば、青成分の波形の各ピークと、これらピークの対応する赤成分の各ピークそれぞれの比から求められるものであり、たとえば、赤成分の波形のピークの高さにβを乗算すると、赤成分のピークの高さと、青成分のピークの高さの差が減少することになる。
【００９５】
αは、差分が求められた後に、差分のデータの値の大きさを調整するためのもので、分析し易いレンジになるように差分の値を調整するものである。
ＲＧＢ方式の画像データでは、各画素にそれぞれＲＧＢの各値が割り付けられており、上述のように青の光と赤の光を含む白色ＬＥＤで照明された光で撮影された画像データをＲＧＢ形式の画像データとし、各画素におけるＲの値と、Ｂの値を上述のＤ＝α（Ｂ−β・（Ｒ―Ｋ））の式に代入してＤを求めることになる。
【００９６】
この場合に、図５に模式的に示すように肌のキメの画像と肌のシミの画像とを含む青成分の画像データから主に肌のキメを含む赤成分の画像データを除くことにより、差分画像データを求めた場合に、差分画像データは、主に肌のシミの画像を有する画像データになる。この画像データでは、図６(ｃ)の差分の画像データ５３に示すように、肌表面の皮溝等の画像が除かれて、主に肌表層部内のシミが写った画像となる。
【００９７】
また、図７のグラフ３０に示すように、輝度のレベルと波形の振幅の大きさが異なる赤成分の画像データと、青成分の画像データとにおいて、輝度のレベルと波形の振幅の大きさを合わせると、グラフ３１に示すように、互いに近似した波形を示す赤成分の画像データと、青成分の画像データが重なった状態となるが、これら画像データでは、主に青成分に含まれるシミの画像に基づく差がある。そこで、グラフ３２に示すように、これらの画像データの差分データ（Ｄ）を求めることにより、肌表面の画像をあまり含まず、主にシミの画像を含む差分画像データを得るこができる。
【００９８】
そして、各画素で求められたＤの値からなる差分画像データには、上述のように肌表面の画像と肌表層部内のシミの画像とが含まれる青成分の画像データから、シミの画像が薄く主に肌表面の画像からなる赤成分の画像データを減算することにより、肌表面の画像を略含まない肌表層部内のシミの画像が含まれる。
この差分画像データが、肌のシミを分析するための画像データとなる。
【００９９】
また、差分画像データを求める際に用いた元のカラーの画像データのうちの上述のようにシミの画像をほとんど含まない赤成分の画像データを肌の表面のキメの分析用の画像データとすることができる。なお、シミの影響があるが、撮影されて処理されていない元のカラーの画像データをキメの分析用画像データとしてもよい。
【０１００】
また、元の画像データは、白色ＬＥＤ（ＬＥＤ１２）で照明されたカラーの画像データであり、このデータを肌の色の分析用画像データとすることができる。なお、この場合に、ホワイトバランスを取ることが好ましいが、スマートフォン１のカメラ２には、ホワイトバランス機能が備えられており、これによりホワイトバランスを取ることができる。
【０１０１】
この分析用肌画像生成システムにおける分析用肌画像生成方法においては、上述の画像処理手段の機能により、青の光と赤の光を含む白色ＬＥＤにより撮影された画像データの各画素において、青成分と赤成分の差分をＤ＝α（Ｂ−β・（Ｒ―Ｋ））の式に基づいて算出することにより、シミの分析用画像を得ることができる。また、上述のように元の画像データまたは赤成分の画像データを肌のキメの分析用画像データとすることができる。さらに、元の画像データのホワイトバランスを取ることにより肌の色の分析用の画像データを得ることができる。
【０１０２】
ここで、ホワイトバランス等の色バランスを精度高くとるためには、例えば、レンズモジュール１０や肌カメラ５を最初に使う際、すなわち、これらを購入後1回だけ、肌カメラに付属された基準白色のテストチャートを撮影し、スマホ内部あるいは上述のサーバーサイドで、撮影白色画像が基準白色となる補正値を決定し、スマートフォン１のフラッシュメモリ４やサーバー側の記憶措置等のいずれかに記憶しておく。
【０１０３】
肌撮影時または撮影後には、撮影された肌画像に上記補正値を用いて色補正を行うことにより、適切な肌画像を得ることができる。
なお、白色のテストチャートに代えて、複数または単色の有彩色の印刷されたテストチャートを用いてもよい。
【０１０４】
また、レンズモジュール１０、肌カメラ５の撮影範囲内に上述のテストチャートを設け、撮影画像に上記テストチャートが写り込むようにし、この写り込んだテストチャートを毎回補正値を決定し、この補正値を用いて撮影された肌画像を補正するようにしてもよい
【０１０５】
以上のことから、このような分析用肌画像生成システムおよび分析用肌画像生成方法にあっては、偏光板を用いることなく、肌表面より内側の肌表層部のシミを分析可能な画像データを得ることができるので、肌の撮影装置において、撮影用の照明側と撮影用のレンズ側に互いに偏光方向が直交する偏光板を用いる必要がなく、肌を撮影するための専用の肌カメラやスマートフォン１等の携帯型電子機器のカメラに肌撮影機能を付加するコンバージョンレンズ１１と照明用のＬＥＤ１２を有するレンズモジュール１０において、コストの低減を図ることができる。
【０１０６】
また、一度の撮影により、肌のシミの分析用画像データと、肌のキメの分析用画像データと、肌の色の分析用画像データを得ることが可能であり、肌の分析のための肌画像の撮影を容易なものとし、各ユーザーが自分で肌を撮影する場合に、ユーザーの負荷を軽減することができる。
【０１０７】
また、携帯型電子機器のデジタルカメラにレンズモジュール１０を装着して肌画像を撮影する際に、例えば、照明の種類を切り替えたり、撮影の各種設定を切り替えたりすることなく、所定の照明で一回の撮影を行うことにより、上述の肌のシミ、キメ、色をそれぞれ分析可能な画像データを得ることができるので、撮影を自動化しなくても、容易に撮影を行うことができる。
【０１０８】
また、撮影を自動化するものとしても、従来のように照明や設定を切り替えて複数回の撮影を行う必要がないので、基本的にコンバージョンレンズ１１と、照明用のＬＥＤ１２を有するレンズモジュール１０側の電源を入れてＬＥＤ１２を点灯した状態で、例えば、スマートフォン１側で肌撮影用のアプリを起動して自動的に撮影を行わせるか、逆にアプリを起動してから、アプリの指示に基づいてＬＥＤ１２を点灯するためにレンズモジュール１０の電源を入れた後に撮影を自動で行うだけであり、レンズモジュール１０とスマートフォン１との間で特に通信を必要とせず、通信手段を設けることによりレンズモジュール１０のコストが高くなるのを防止できる。
【０１０９】
上述のサーバーでは、スマートフォン１から送信される肌画像データを例えば各スマートフォン１のユーザー毎に、肌履歴用データベースに記憶し、例えば、ユーザーがいつでも見られるようにしたり、化粧品メーカー等で利用可能にしたりすることが考えられる。この場合に、これまではキメ画像とシミ画像（＋肌画像）を登録しておく必要があった。それに対してこの分析用肌画像生成システムにおいては、一枚の肌画像データを記憶しておけば、いつでも、キメ、シミ、肌色の各分析用の画像データを得られるので、サーバーに必要とされる記憶容量を少なくすることができる。
【０１１０】
なお、ＬＥＤ１２の設置個所は、肌の凹凸であるキメを分析する画像データを得る上では、凹凸の影が濃くなるように一個所が好ましいが、シミの分析する画像データを得る上では、肌表面の画像が取り除かれることから、明るさの照明むらをなくすために、複数箇所であることが好ましい。但し、上述のようにシェーディング補正を行うことによりＬＥＤ１２が一箇所に配置される構成であっても照明むらの問題を解消できる。
【符号の説明】
【０１１１】
１      スマートフォン（携帯型電子機器）
２      カメラ（撮影手段ｂ）
３      制御装置（画像処理手段ｋ、抽出手段ｅ、差分算出手段ｆ）
４      フラッシュメモリ（記憶手段ｃ）
１０    レンズモジュール
１１    コンバージョンレンズ（撮影手段ｂ）
１１ａ  レンズ
１１ｂ  レンズ
１２    ＬＥＤ（照明手段ａ）
【図１】
2014180284.tif 000003
【図２】
2014180284.tif 000004
【図３】
2014180284.tif 000005
【図４】
2014180284.tif 000006
【図５】
2014180284.tif 000007
【図６】
2014180284.tif 000008
【図７】
2014180284.tif 000009
【図８】
2014180284.tif 000010
【図９】
2014180284.tif 000011
【図１０】
2014180284.tif 000012